(57)【特許請求の範囲】
【請求項１】
平面形状を矩形にして平面視での湾曲線上に離間配置される一方および他方の基準足場と、この両方の基準足場に架け渡される踏板とを有し、
上記基準足場が四隅部に位置決めされる四本の支柱と、この四本の支柱の上端部に連結されてこの四本の支柱を縦横に連結する四本の横材と、この横材のうちの長手方向に一対となる横材に掛け止めさせた足場板と有してなる足場装置において、
対向する一対の上記支柱間に上方の手摺と下方のロッドとを着脱自在に連結させ、
上記踏板を上記両方の基準足場に架け渡される本体部と、この本体部の一端部に設けられる係止部と、上記本体部の他端部に設けられるスライド部とで構成し、
上記係止部を上記一方の基準足場における上記横材に掛け止めさせ、上記スライド部を上記他方の基準足場における上記足場板上に積層させ、
上記手摺を手摺本体と、上記手摺本体から垂設した縦方向の支柱とで構成させると共に上記縦方向の支柱を上記ロッドに着脱自在に連結させたことを特徴とする足場装置。
【請求項２】
上記係止部が軸線方向を上記一方の基準足場の上記足場板の軸線方向に沿わせると共に、上記スライド部が軸線方向を上記他方の基準足場の上記足場板の軸線方向に沿わせてなる請求項1に記載の足場装置。
【請求項３】
上記本体部がこの本体部の外側縁から起立する爪先板部を有してなる請求項1または請求項2に記載の足場装置。
【請求項４】
上記手摺本体の左右両側にフックを設け、各フックを上記支柱に設けたフランジの孔に着脱自在に掛け止めさせ、上記縦方向の支柱にソケットを設け、当該ソケットで上記ロッドを上方から覆い込んで縦方向の支柱を上記ロッド立設させている請求項１、請求項２または請求項３に記載の足場装置。
【請求項５】
上記離間配置される基準足場が内周側あるいは外周側のいずれか一方側でこの離間配置される基準足場における支柱をピン接合で連結すると共に、上記内周側あるいは外周側のいずれか他方側でこの離間配置される基準足場における支柱をロッド連結で連結してなる請求項1、請求項２、請求項３または請求項４に記載の足場装置。
【発明の詳細な説明】
【技術分野】
【０００１】
この発明は、足場装置に関し、特に、外周が平面視で湾曲する構築物や建築物への利用に向く足場装置の改良に関する。
【背景技術】
【０００２】
外周が平面視で湾曲する構築物や建築物への利用に向く足場装置としては、たとえば、特許文献1に開示の提案があり、このものは、平面視での円形線上に離間配置される枠組足場を連結用の踏板で連結するとしている。
【０００３】
すなわち、枠組足場は、一対の縦材の天端を横材で一体的に連結した門型に形成の建枠の一対を一組または二組の交差ブレースで所定の間隔を有した状態に立設する一方で、一対の建枠の天端に、つまり、枠組足場において長手方向に一対となる横材に足場板を架け渡してなる。
【０００４】
一方、踏板は、間隔を有して並列する一対のリブにパネルを一体的に設けてなり、一方のリブの両端につかみ金具を有し、このつかみ金具は、枠組足場にあって足場板を掛け止めさせる横材への連結を可能にしている。
【０００５】
それゆえ、この特許文献１に開示の提案にあっては、踏板におけるつかみ金具が離間配置される枠組足場における建枠の天端を形成する横材を掴むようにすることで、円形線上に離間配置される枠組足場を踏板で連結することが可能になる。
【先行技術文献】
【特許文献】
【０００６】
【特許文献１】特開平９−４２１７号公報
【発明の概要】
【発明が解決しようとする課題】
【０００７】
上記の提案における足場装置にあっては、踏板を利用することで、平面視での円形線上に離間配置される枠組足場を連結することが可能になる点で、問題がある訳ではないが、利用の実際を勘案すると、些かの不具合があると指摘される可能性がある。
【０００８】
すなわち、上記の提案における足場装置にあって、踏板は、間隔を有して並列する一対のリブにパネルを一体化してなり、一方のリブの両端につかみ金具を有してなるとしている。
【０００９】
このことから、上記の踏板は、両端に有するつかみ金具を離間配置される枠組足場にそれぞれ連結することが必須になるので、枠組足場を円形線上に離間配置する際に精緻な寸法管理が要求されることになり、組立作業性を悪くする危惧がある。
【００１０】
そして、上記の踏板にあっては、離間配置される枠組足場間の間隔が異なることになる場合には、踏板において、両端に設けられるつかみ金具の間隔が異になるものを用意する必要があり、長さ寸法が異なる多種類を準備しなければならならず、コスト的に観ても高コストになり易い不具合がある。
【００１１】
この発明は、上記した事情を鑑みて創案されたものであって、その目的とするところは、組立作業性を良くしてコスト的にも有利になる足場装置を提供することである。
【課題を解決するための手段】
【００１２】
上記した目的を達成するために、本発明の課題解決手段は、平面形状を矩形にして平面視での湾曲線上に離間配置される一方および他方の基準足場と、この両方の基準足場に架け渡される踏板とを有し、
上記基準足場が四隅部に位置決めされる四本の支柱と、この四本の支柱の上端部に連結されてこの四本の支柱を縦横に連結する四本の横材と、この横材のうちの長手方向に一対となる横材に掛け止めさせた足場板と有してなる足場装置において、
対向する一対の上記支柱間に上方の手摺と下方のロッドとを着脱自在に連結させ、
上記踏板を上記両方の基準足場に架け渡される本体部と、この本体部の一端部に設けられる係止部と、上記本体部の他端部に設けられるスライド部とで構成し、
上記係止部を上記一方の基準足場における上記横材に掛け止めさせ、上記スライド部を上記他方の基準足場における上記足場板上に積層させ、
上記手摺を手摺本体と、上記手摺本体から垂設した縦方向の支柱とで構成させると共に上記縦方向の支柱を上記ロッドに着脱自在に連結させたことを特徴とするものである。
【００１３】
踏板における本体部は、離間配置される一方および他方の基準足場に架け渡されることで足りるから、所定の機械的強度を有する限りにおいて、リブに設けたつかみ金具を有するなどに形成される必要がなく、リブに設けたつかみ金具を有する場合に比較して、踏板の重量の軽減化を可能にし、取扱性を良くすると共にコスト的にも有利にする。
【００１４】
踏板における係止部は、一方の基準足場における足場板を掛け止めさせる横材に掛け止めされて一方の基準足場に連結されるから、離間配置される基準足場にそれぞれ連結される場合に比較して、踏板における構成の簡素化を可能にし、また、離間配置される基準足場間に精緻な寸法管理が要求されないから、組立作業性を良くする。
【００１５】
踏板におけるスライド部は、他方の基準足場における足場板上に積層されるから、所定の機械的強度を有する限りにおいて、薄肉に形成されて良く、踏板の重量の軽減化に寄与し、取扱性を良くすると共にコスト的にも有利にする。
【発明の効果】
【００１６】
その結果、この発明の足場装置によれば、外周が平面視で湾曲する構築物や建築物への利用に向く足場を形成するのに際して、コスト的に有利にすると共に、取扱性を良くし、さらに、組立作業性を良くすることが可能になる。
【図面の簡単な説明】
【００１７】
【図１】この発明の足場装置を示す平面図である。
【図２】足場装置を構成する基準足場の一例を示す概略斜視図である。
【図３】基準足場における横材と支柱との連結構造の一例を示す図で、（Ａ）は、支柱の部分平面断面図、（Ｂ）は、支柱の部分立面縦断面図、（Ｃ）は、横材の部分平面図、（Ｄ）は、横材の部分立面図である。
【図４】基準足場における足場板が横材に掛け止めされた状態を示す図で、（Ａ）は、部分平面図、（Ｂ）は、部分縦断面図である。
【図５】足場装置を構成する踏板を示す斜視図である。
【図６】図５に示す踏板の利用状態を示す図で、(Ａ)は、平面図、（Ｂ）縦断面図である。
【図７】足場装置に設けられた手摺を示す図で、（Ａ）は、立面図、（Ｂ）は、（Ａ）中のＹ−Ｙ線位置で示す縦断面図、（Ｃ）は、平面図である。
【発明を実施するための形態】
【００１８】
以下に、図示した実施形態に基づいて、この発明を説明する。この発明の足場装置は、図１に示すように、平面形状を矩形にして図示しない平面視での湾曲線上に離間配置される一方および他方の基準足場Ａと、この両方の基準足場Ａに架け渡される踏板Ｓとを有してなる。
【００１９】
基準足場Ａは、この発明の踏板Ｓの載置および連結を可能にするように形成されていることが肝要とされるが、さらには、基準足場Ａが複数とされて平面視での湾曲線上に離間配置されることからすると、同一構造のものを複数簡単に入手できることが肝要となる。
【００２０】
同一構造のものを複数簡単に入手できる点からすると、基準足場Ａとしては、たとえば、楔を利用して連結する楔緊結式足場と称される組足場や、建枠と称される門型に形成の部材を利用する枠組足場、さらには、単管を組み合わせて形成される単管足場を提示することができる。
【００２１】
その中で、たとえば、組足場は、図２に示すように、上記の矩形の四隅部に位置決めされる四本の支柱１と、この四本の支柱１の上端部を縦横に連結する四本の横材２，３と、この四本となる横材２，３のうちの基準足場Ａにおける長手方向で一対となる横材２に架け渡される足場板４とを有してなる。
【００２２】
支柱１は、図示するところでは、鋼製丸パイプからなり、長さをほぼ１．８メートルとして、図示しないが、たとえば、連結部材を利用するなどの上方への連結で連続可能とされ、上端部に略図で示す連結部Ｊを有し、この連結部Ｊを利用しての横材２，３の支柱１への連結を可能にしている。
【００２３】
なお、連結部Ｊについては、支柱１の中間部に設けられていても良く、また、支柱１の下端を連結させるベースＢに設けられていても良い。そして、ベースＢに連結部Ｊが設けられていることで、このベースＢへの横材２，３の連結が可能になり、また、一対の横材２への足場板４の架け渡しが可能になる。
【００２４】
横材２，３は、図示するところでは、鋼製丸パイプからなり、長さを大小する二種類に分類され、長さの短い横材２が、たとえば、ほぼ０．９メートルとされ、長さの長い横材３が、たとえば、ほぼ１．８メートルとされている。そして、一対の長い横材３が基準足場Ａの長手方向に配設され、一対の短い横材２が基準足場Ａの短手方向に配設されて、それぞれ支柱１に連結される。
【００２５】
なお、四本の支柱１にあって、基準足場Ａの長手方向に位置決めされる一対の支柱１には、斜材５が連結されるとし、この斜材５も支柱１に設けた連結部Ｊを利用して設けられる。また、支柱１の中間部に設けられている連結部Ｊは、図７に示すように、手摺Ｈの連結を可能にし、また、補強材（図示せず）の連結を可能にする。
【００２６】
ところで、支柱１に設けられる連結部Ｊは、横材２，３の支柱１への連結を可能にする限りには任意に構成されて良く、図３は、横材２，３の支柱１への連結を可能にする連結構造の一例を示す。
【００２７】
少し説明すると、この連結構造は、支柱１の外周に溶接などで一体的に設けられた連結部Ｊたるフランジと、横材２，３の一端に溶接などで一体的に設けられたナックル６とを有してなり、さらに、楔７を有してなる。ちなみに、楔７は、ワイヤなどで横材２，３あるいはナックル６に連結保持されているのが好ましい。
【００２８】
連結部Ｊたるフランジは、図３（A）に示すように、このフランジの肉厚を上下方向に貫通して形成されると共に放射方向に設けられた八個の孔Ｊａを有しており、フランジに対する八個のナックル６などの連結を許容している。
【００２９】
支柱１に設けられる連結部Ｊが上記のフランジからなることで、四隅部にある支柱１にあっては、横材２，３の連結と共に、斜材５の連結が可能とされ、のみならず、仮に、基準足場Ａが離間配置でなく直線状に連続される場合に、基準足場の連続を可能にすることになる。
【００３０】
ナックル６は、この実施形態では、鋳造されてなり、図３（Ｄ）に示すように、縦断面を横向きコ字状にしていわゆる開口を横材２，３の軸線方向に沿う外向きにし、間にフランジを挿入させ、フランジに形成の孔Ｊａを上下方向から覆うようしている。
【００３１】
そして、ナックル６は、このナックル６を上下方向に貫通する孔６ａを有し、このナックル６に形成の孔６ａに楔７を嵌入させるとし、楔７は、鍛造などされ、基本的には、周知の楔の形状をなしており、ナックル６に形成の孔６ａに挿入されると共にフランジに形成の孔Ｊａに挿入されることで、ナックル６をフランジに固定的に連結して、横材２，３の支柱１への連結を実現している。
【００３２】
すなわち、ナックル６にあっては、フランジを臨ませた状態で、透孔６ａに楔７を挿通させることで、フランジがナックル６に押し付けられる状況になると共に、ナックル６が支柱１に押し付けられる状況になるので、ナックル６とフランジとの連結、つまり、支柱１と横材２，３との連結が可能になる。
【００３３】
上記した連結構造は、フランジに放射方向に形成されて八個となる孔Ｊａを有するとしたので、三部材の支柱１への連結を可能にするが、この発明にあっては、支柱１に対する横材２の連結を可能にする限りには、他の構成の連結構造が選択されても良い。
【００３４】
足場板４は、アルミ合金製とされ、長さをほぼ１．８メートルにしながら、幅を、たとえば、０．４５メートルにしてなり、図中での左右方向となる長手方向たる軸線方向の端部にフック部４ａを有しており（図４（Ａ）参照）、このフック部４ａが基準足場Ａにおける横材２に掛け止めされる（図４（Ｂ）参照）。
【００３５】
そして、フック部４ａは、足場板４の幅方向に沿って櫛歯状に間欠形成されてなるとし、フック部４ａの間となる凹部４ｂには、通常は、連続する足場板４のフック部４ａが嵌装される。
【００３６】
すなわち、図示しないが、基準足場Ａが言わば通常の足場として直線状に連続されて利用される場合には、足場板４も連続されることになり、このとき、フック部４ａ間の凹部４ｂには連続する足場板のフック部４ａが嵌装されて横材２に掛け止めされることになる。
【００３７】
ちなみに、この発明にあっては、後述するが、図１に示すように、離間配置される基準足場Ａにおける一方の基準足場Ａ、すなわち、図１中で左側に配設される基準足場Ａにあって、足場板４の凹部４ｂには、踏板Ｓの一端部が嵌装される。
【００３８】
なお、足場板４は、図示するところでは、二枚が並列されるとしているが、これは、横材２の長さが０．９メートルとされるからであり、したがって、図示しないが、横材２の長さが１．３５メートル以上とされる場合には、足場板４が三枚以上に並列されることになる。
【００３９】
次に、踏板Ｓは、図１および図６に示すように、離間配置される基準足場Ａに架け渡されて、離間配置される基準足場Ａの間に出現するいわゆる空きを上方から覆い、離間配置される基準足場Ａにおける足場板４に連続するいわゆる足場を形成し、足場板４上を通行する作業員の安全を確保したり、たとえば、工具などの物が落下したりすることを防止する。
【００４０】
ところで、この発明にあって、離間配置される基準足場Ａは、それぞれの軸線方向を一致させない状態に配置されるが、いわゆる足場を形成する観点からすれば、相互に連結されていわゆる一体性が確保されていることが肝要となる。
【００４１】
そこで、踏板Ｓの説明に先立ち、以下には、離間配置される基準足場Ａの連結方法について、図示するところに基づいて説明する。すなわち、図示する実施形態にあって、離間配置される基準足場Ａは、図１に示すように、図中で下方側となる一方側でピン接合Ｐとされると共に、図中で上方側となる他方側でロッド連結Ｒとされるとしている。
【００４２】
離間配置される基準足場Ａを連結するのにあって、一方側がピン接合Ｐとされるのは、離間配置される基準足場Ａの相互間隔が一方側で狭く、ロッド、つまり、横材を利用しての連結が困難になるからであり、逆に、他方側でロッド連結とされるのは、ロッド、つまり、横材を利用した方が連結を容易になし得ることに基づく。
【００４３】
ちなみに、離間配置される基準足場Ａの他方側を連結するロッド連結Ｒにあっては、伸縮自在なロッドＲ１（図７参照）が利用されるのが好ましく、また、離間配置される基準足場Ａの一方側の連結がピン接合Ｐとされるのが困難になる場合には、ロッド連結Ｒに代えられる。
【００４４】
以上のようにして連結される離間配置の基準足場Ａの間、すなわち、足場板４の間には、空きが生じているので、この空きを平面上で塞ぐ、つまり、上方から塞ぐように踏板Ｓが離間配置の基準足場Ａに架け渡されることになる。
【００４５】
以下に、踏板Ｓについて説明すると、踏板Ｓは、アルミ合金の板材からなり、所定の機械的強度を有しながら軽量化が図られる一方で、図５に示すように、本体部Ｓ１と、係止部Ｓ２と、スライド部Ｓ３とを有し、さらに、図示するところでは、爪先板部Ｓ４を有してなる。
【００４６】
なお、踏板Ｓは、図示するところでは、表面を滑り止め処理した板材を打ち抜き加工して、本体部Ｓ１、係止部Ｓ２、スライド部Ｓ３および爪先板部Ｓ４を一体に形成するとしているが、これに限定されず、任意の方策で形成されて良い。
【００４７】
また、図１および図６（Ａ）において、各図中で右側の基準足場Ａにおける足場板４が横材２に掛け止めされている状態が詳しく図示されていないが、これは図面の煩雑化を防ぐ意味からであって、右側の足場板４が横材２に掛け止めされているのはもちろんである。
【００４８】
本体部Ｓ１は、離間配置される基準足場Ａの間に生じる空きを塞ぐことからして、作業員の体重が作用しても簡単に折れ曲がったりしない強度を有すように形成されることで足り、裏面に補強用のリブなどの構成を設けなくて済み、部材の軽量化や部材の製品コストの低下に寄与している。
【００４９】
ちなみに、本体部Ｓ１は、離間配置される基準足場Ａの間に生じる空きのいわゆる長さ寸法および幅寸法に比較して、その長さ寸法および幅寸法を大きくし、離間配置される基準足場Ａの間に生じる空きの長さ寸法および幅寸法が大きくなるような場合にも対応できるようにしている。
【００５０】
係止部Ｓ２は、本体部Ｓ１の一端部、つまり、図６中の左端部であり、図示するところでは、基準足場Ａの足場板４の凹部４ｂへの嵌装が許容され、基準足場Ａにおける横材２に掛け止めされるフック部Ｓａを有してなる。
【００５１】
ちなみに、係止部Ｓ２は、軸線方向が、つまり、本体部３１の一端から突出する方向が、図６中で左側となる一方の基準足場Ａにおける足場板４の軸線方向に沿うとされている。
【００５２】
そして、係止部Ｓ２にあっては、フック部Ｓａが図６（Ａ）中で上下方向となる幅方向に間欠形成され、フック部Ｓａの間が凹部Ｓｂとされ、この凹部Ｓｂが基準足場Ａの足場板４におけるフック部４ａを嵌装させる。
【００５３】
一方、スライド部Ｓ３は、本体部Ｓ１の他端部、図６中の右端部であっていわゆる自由端部とされており、図示するところでは、図６中で右側となる他方の基準足場Ａの足場板４上に積層されてなる。
【００５４】
ちなみに、スライド部Ｓ３は、軸線方向が、つまり、本体部Ｓ１の他端から突出する方向が、図６中で右側となる一方の基準足場Ａにおける足場板４の軸線方向に沿うとされており、軸線方向の長さが、本体部Ｓ１ほどではないが、係止部Ｓ２と比較すれば、遥かに大きくなる長さを有しており、たとえば、離間配置される基準足場Ａ間における他方側の間隔が広くなるとしても、それに対応できるように配慮している。
【００５５】
したがって、この発明の踏板Ｓにあっては、離間配置される基準足場Ａ間における間隔が広くなる場合にも、別の踏板Ｓを準備することなく対応できることになり、のみならず、離間配置される基準足場Ａ間における間隔が狭くなる場合にも、対応できることになる。
【００５６】
図示する実施形態にあって、踏板Ｓは、本体部Ｓ１に爪先板部Ｓ４を有してなるとしており、爪先板部Ｓ４は、本体部Ｓ１の外側縁から適宜の高さに起立するとしており、したがって、たとえば、作業者の手から本体部Ｓ１に落下した工具類が踏板Ｓから落下することを防止できる。
【００５７】
ちなみに、爪先板部Ｓ４は、図するところでは、本体部Ｓ１に一体に形成されてなるとするが、爪先板部Ｓ４が機能するところからすれば、いわゆる後付けで本体部Ｓ１に設けられるとしても良い。
【００５８】
ところで、この発明にあっては、離間配置される基準足場Ａの間に生じる空きを塞ぐために、踏板Ｓが離間配置される基準足場Ａに架け渡されるとしたが、基準足場Ａが離間配置される場合には、上記の空きを平面上での空きとする場合に、この平面上での空きに連続する言わば立面上の空きが出現することになる。
【００５９】
つまり、離間配置される基準足場Ａの足場板４の上に立つ作業員などの人からすると、仮に、離間配置の基準足場Ａがそれぞれ上方に延長される場合には、延長された離間配置の基準足場Ａ間において、上記の平面上の空きに連続する立面上の空きが出現することになる。
【００６０】
だとすると、各基準足場Ａにおいて、支柱１間に手摺が設けられる観点からすれば、上記の立面上の空きに手摺が設けられるのが好ましいことになり、以下に、図７に基づいて、手摺Ｈについて少し説明する。なお、図７中にあって、その構成が前記したところと異ならないところについては、図７中に同一の符号を附するのみとして、要する場合を除き、その説明を省略する。
【００６１】
周知のように、手摺Ｈは、足場板４の上に立つ作業員などの人が足場板４上から落下することを阻止するもので、この人の落下防止を可能にする限りには、任意に構成されて良いが、この発明にあっては、図７（Ａ），（Ｂ）および（Ｃ）に示すように、離間配置される一対の基準足場Ａを形成する言わば左右の支柱１に連結されると共に、一対の基準足場Ａをロッド連結Ｒする伸縮自在に形成のロッドＲ１に連結、つまり、立設されてなるとする。
【００６２】
ちなみに、手摺Ｈが上方で支柱１に連結され、下方でロッドＲ１に連結される場合には、手摺Ｈを一層効果的に設けることを可能にするが、手摺Ｈとしての機能が保障されるのであれば、たとえば、上方で支柱１に連結されるのみとして、あるいは、下方のロッドＲ１に立設されるのみとして、構成の簡略化を図っても良いことはもちろんである。
【００６３】
戻って、図示するとことにあって、手摺Ｈは手摺本体１１と、手摺本体１１から垂設して手摺本体１１を支える縦方向の支柱１２とで構成させ、手摺本体１１が一対の基準足場Ａにおける支柱１に連結され、縦方向の支柱１２が一対の基準足場Ａをロッド連結Ｒする伸縮自在なロッドＲ１に連結されている。
【００６４】
手摺本体１１は、一方体１１ａおよび他方体１１ｂからなり、それぞれが、正面形状において、パイプを横向きコ字状に折り曲げて形成されてなり、一方体１１ａに対して他方体１１ｂが出没自在に連結されてなるとしている。
【００６５】
これによって、手摺本体１１は、正面の横幅を長尺できることになり、一対の基準足場Ａにおける支柱１間の間隔が異なることになっても、これに対応できることになる。そして、手摺本体１１において、長短調整された態勢は、図示するところでは、蝶ボルト１１ｃの締め付けで維持されるとしている。
【００６６】
また、手摺本体１１にあって、一方体１１ａおよび他方体１１ｂは、それぞれフック１１ｄを有しており、このフック１１ｄを支柱１に設けられている連結部Ｊたるフランジの孔Ｊａに着脱自在に掛け止めされるとしている。
【００６７】
一方、支柱１２は、パイプからなり、上端部に手摺本体１１を一体に有し、下端部がソケット１２ａの利用下にロッドＲ１に連結されるとしている。ソケット１２ａは、図７（Ｂ）に示すように、ロッドＲ１を上方から覆い込む下向き角Ｕ状の断面形状を有するように形成され、下端部に楔１２ｂが嵌装されることで、ロッドＲ１に固定的に立設されるとしている。
【００６８】
前記したところでは、この発明の足場装置を構成する基準足場Ａが平面視での湾曲線上に離間配置されるとしたが、この発明が意図するところからすると、基準足場Ａが平面視での円形線上に離間配置されるとしても良く、その場合の作用効果も異なることがないのはもちろんである。
【００６９】
また、前記したところでは、基準足場Ａが組足場からなるとしたが、櫛歯状に形成のフック部４ａを有する足場板４の架け渡しを可能にする限りには、この発明の具現化が可能になり、その意味では、組み足場に代えて、図示しないが、枠組足場や単管足場が利用されるとしても良いことはもちろんである。
【００７０】
そして、前記したところでは、足場板４が櫛歯状に形成されたフック部４ａを有してなるとしたが、この発明の踏板Ｓがフック部Ｓａを有して、このフック部Ｓａが基準足場Ａを形成する横材２に掛け止めされることからすれば、足場板４が櫛歯状に形成のフック部４ａを有しなくても良いと言い得る。
【００７１】
すなわち、図示しないが、足場板４が幅方向に両端部に板状のフックを有し、このフックを横材２に掛け止めすることで、足場板４が基準足場Ａに架け渡される設定の場合でも、基準足場Ａが横材２を有する限りには、この発明の踏板Ｓの利用が可能になるのはもちろんである。
【符号の説明】
【００７２】
１，１２  支柱
２，３  横材
４  足場板
４ａ，Ｓａ  フック部
４ｂ，Ｓｂ  凹部
５  斜材
６  ナックル
６ａ  透孔
７，１２ｂ  楔
１１  手摺本体
１１ａ  一方体
１１ｂ  他方体
１１ｃ  蝶ボルト
１２ａ  ソケット
Ａ  基準足場
Ｂ  ベース
Ｈ  手摺
Ｊ  連結部
Ｊａ  孔
Ｐ  ピン接合
Ｒ  ロッド連結
Ｒ１  ロッド
Ｓ  踏板
Ｓ１  本体部
Ｓ２  係止部
Ｓ３  スライド部
Ｓ４  爪先板部
【図１】
0005996890.tif 000002
【図２】
0005996890.tif 000003
【図３】
0005996890.tif 000004
【図４】
0005996890.tif 000005
【図５】
0005996890.tif 000006
【図６】
0005996890.tif 000007
【図７】
0005996890.tif 000008